(57)【要約】【課題】  一つのサービングセル上に複数の構成済み上りリンクグラントが構成された場合、同じタイミングの無線リソース（スロット）で送信を行わないように適切に制御しなければ、正常な通信が行えなくなる課題がある。【解決手段】  基地局装置および前記基地局装置から一つのサービングセル上に通常上りリンクと補助上りリンクを割り当てられる移動局装置を少なくとも含む通信システムの移動局装置であって、前記通常上りリンクおよび前記補助上りリンクに対して個別の構成済み上りリンクグラントをそれぞれ設定し、前記サービングセルがアクティベートされた場合に、前記通常上りリンクに設定された前記構成済み上りリンクグラントか、前記補助上りリンクに設定された前記構成済み上りリンクグラントの一方を有効化し、他方をサスペンドすることを特徴とする。【選択図】図３
2019121976.tif 000002
【特許請求の範囲】
【請求項１】
基地局装置および前記基地局装置から一つのサービングセル上に通常上りリンクと補助上りリンクを割り当てられる移動局装置を少なくとも含む通信システムの移動局装置であって、
前記通常上りリンクおよび前記補助上りリンクに対して個別の構成済み上りリンクグラントをそれぞれ設定し、
前記サービングセルがアクティベートされた場合に、
前記通常上りリンクに設定された前記構成済み上りリンクグラントか、前記補助上りリンクに設定された前記構成済み上りリンクグラントの一方を有効化し、他方をサスペンドする
ことを特徴とする、移動局装置。
【請求項２】
前記移動局装置はさらに、
前記サービングセルがアクティベートされた場合に、
前記通常上りリンクに設定された前記構成済み上りリンクグラントを有効化し、
前記補助上りリンクに設定された前記構成済み上りリンクグラントをサスペンドする
ことを特徴とする、請求項１記載の移動局装置。
【請求項３】
前記移動局装置はさらに、
前記サービングセルがアクティベートされた場合に、
前記補助上りリンクに設定された前記構成済み上りリンクグラントを有効化し、
前記通常上りリンクに設定された前記構成済み上りリンクグラントをサスペンドする
ことを特徴とする、請求項１記載の移動局装置。
【請求項４】
前記移動局装置はさらに、
前記通常上りリンクもしくは前記補助上りリンクのどちらか一方を既定上りリンクと指定する規定上りリンク情報を含む制御情報を基地局装置から受信し、
前記サービングセルがアクティベートされた場合に、前記規定上りリンク情報で指定される前記規定上りリンクの前記構成済み上りリンクグラントを有効化する
ことを特徴とする、請求項１記載の移動局装置。
【請求項５】
前記移動局装置はさらに、
前記サービングセルがデアクティベートされた場合に、有効化されている前記構成済み上りリンクグラントをサスペンドし、
前記サービングセルが再度アクティベートされた場合に、前記サービングセルがデアクティベートされたときにサスペンドされた前記構成済み上りリンクグラントを有効化する
ことを特徴とする、請求項１記載の移動局装置。
【請求項６】
前記移動局装置はさらに、前記基地局装置から受信した上りリンク切り替え制御情報によって、有効化された前記構成済み上りリンクグラントをサスペンドし、サスペンドされた前記構成済み上りリンクグラントを有効化する
ことを特徴とする、請求項１から５に記載の移動局装置。
【請求項７】
基地局装置および前記基地局装置から一つのサービングセル上に通常上りリンクと補助上りリンクを割り当てられる移動局装置を少なくとも含む通信システムの基地局装置であって、
前記通常上りリンクもしくは前記補助上りリンクのどちらか一方を既定上りリンクに指定する規定上りリンク情報を含む制御情報を移動局装置に送信する
ことを特徴とする、基地局装置。
【発明の詳細な説明】
【技術分野】
【０００１】
本発明は、基地局装置、移動局装置およびその通信方法に関する。
【背景技術】
【０００２】
従来より、標準化団体３ＧＰＰ（3rd Generation Partnership Project）において、第３世代の移動通信方式を進化させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以下、「ＥＵＴＲＡ」と呼称する。）と、更にその発展形である第４世代の移動通信方式であるＡｄｖａｎｃｅｄ  ＥＵＴＲＡ（「ＬＴＥ−Ａｄｖａｎｃｅｄ」とも呼称される。）の仕様規格化が行われ、それを利用した移動体通信の商用化が各国で行われている（非特許文献１）。また近年、３ＧＰＰでは第５世代移動通信方式の技術の検討および仕様規格化が進んでいる（非特許文献２）。
【０００３】
スケジューリング（通信リソース割り当て）技術の一つとして、セミパーシステントスケジューリング（ＳＰＳ：Ｓｅｍｉ−Ｐｅｒｓｉｓｔｅｎｔ  Ｓｃｈｅｄｕｌｉｎｇ）による通信リソースの周期的な割り当て方法がある。これは、サブフレーム毎に通信リソースの割り当てをグラントと呼ばれるシグナリングで行うダイナミックスケジューリングとは異なり、予め決められた設定（時間間隔、変調方式、開始タイミング、繰り返し回数など）で通信リソースの割り当てを行うことによりグラントを省くことができ、制御信号によるオーバヘッドを少なくして効率的な通信を可能とする技術である。ＳＰＳは従来のＬＴＥおよびＬＴＥ−Ａｄｖａｎｃｅｄでも採用されており、音声サービスなどリアルタイム性を要求される通信に利用されてきたが、第５世代移動通信方式でもＳＰＳのさらなる進化を目的とした検討および仕様規格化が進んでいる。また、上りリンクのＳＰＳを応用し、基地局装置から移動局装置に対して割り当てられる上りリンクグラントがなくても、移動局装置から基地局装置に上りリンクデータ送信が可能となる上りリンクグラントフリー（ＧＦ：Ｇｒａｎｔ  Ｆｒｅｅ）による通信方式についても、検討および仕様規格化が進んでいる。
【０００４】
また、第５世代移動通信方式では超高周波数キャリアの使用も検討されているが、この場合、一つのサービングセルにおいて下りリンクより上りリンクの方がカバレッジエリアが狭くなるという問題点があり、この対策として、下りリンクと同等のカバレッジエリアを持つ周波数の上りリンクキャリアも同時に使用することによって、通常の上りリンクがカバーしきれないエリアを補助的にカバーするという技術も検討されており、この補助的上りリンクを「Ｓｕｐｐｌｅｍｅｎｔａｒｙ  Ｕｐｌｉｎｋ（ＳＵＬ）」と呼称する。通常の上りリンクとＳＵＬは同じタイミングの無線リソース（スロット）での送信は行わないように制御する必要がある。
【先行技術文献】
【非特許文献】
【０００５】
【非特許文献１】"3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 14)"  3GPP TS 36.300 V14.3.0 (2017-06)
【非特許文献２】"3rd Generation Partnership Project; Technical Specification Group Radio Access Network; NR; NR and NG-RAN Overall Description; Stage 2 (Release 15)"  3GPP TS 38.300 V2.0.0 (2017-12)
【発明の概要】
【発明が解決しようとする課題】
【０００６】
一つのサービングセル上に複数の構成済み上りリンクグラントが構成された場合、同じタイミングの無線リソース（スロット）で送信を行わないように適切に制御しなければ、正常な通信が行えなくなる課題がある。
【０００７】
本発明はこのような事情を鑑みてなされたものであり、その目的は、一つのサービングセル上に複数の構成済み上りリンクグラントが構成された場合でも、正常に通信が行うことができる基地局装置、移動局装置及び通信方法を提供することにある。
【課題を解決するための手段】
【０００８】
（１）本発明の一態様による移動局装置は、基地局装置および前記基地局装置から一つのサービングセル上に通常上りリンクと補助上りリンクを割り当てられる移動局装置を少なくとも含む通信システムの移動局装置であって、前記通常上りリンクおよび前記補助上りリンクに対して個別の構成済み上りリンクグラントをそれぞれ設定し、前記サービングセルがアクティベートされた場合に、前記通常上りリンクに設定された前記構成済み上りリンクグラントか、前記補助上りリンクに設定された前記構成済み上りリンクグラントの一方を有効化し、他方をサスペンドすることを特徴とする。
【０００９】
（２）また、本発明の一態様による移動局装置は上記の移動局装置であって、前記サービングセルがアクティベートされた場合に、前記通常上りリンクに設定された前記構成済み上りリンクグラントを有効化し、前記補助上りリンクに設定された前記構成済み上りリンクグラントをサスペンドすることを特徴とする。
【００１０】
（３）また、本発明の一態様による移動局装置は上記の移動局装置であって、前記サービングセルがアクティベートされた場合に、前記補助上りリンクに設定された前記構成済み上りリンクグラントを有効化し、前記通常上りリンクに設定された前記構成済み上りリンクグラントをサスペンドすることを特徴とする。
【００１１】
（４）また、本発明の一態様による移動局装置は上記の移動局装置であって、前記通常上りリンクもしくは前記補助上りリンクのどちらか一方を既定上りリンクと指定する規定上りリンク情報を含む制御情報を基地局装置から受信し、前記サービングセルがアクティベートされた場合に、前記規定上りリンク情報で指定される前記規定上りリンクの前記構成済み上りリンクグラントを有効化することを特徴とする。
【００１２】
（５）また、本発明の一態様による移動局装置は上記の移動局装置であって、前記サービングセルがデアクティベートされた場合に、有効化されている前記構成済み上りリンクグラントをサスペンドし、前記サービングセルが再度アクティベートされた場合に、前記サービングセルがデアクティベートされたときにサスペンドされた前記構成済み上りリンクグラントを有効化することを特徴とする。
【００１３】
（６）また、本発明の一態様による移動局装置は上記の移動局装置であって、前記移動局装置はさらに、前記基地局装置から受信したアップ上りリンク切り替え制御情報によって、有効化された前記構成済み上りリンクグラントをサスペンドし、サスペンドされた前記構成済み上りリンクグラントを有効化することを特徴とする。
【００１４】
（７）また、本発明の一態様による基地局装置は、基地局装置および前記基地局装置から一つのサービングセル上に通常上りリンクと補助上りリンクを割り当てられる移動局装置を少なくとも含む通信システムの基地局装置であって、前記通常上りリンクもしくは前記補助上りリンクのどちらか一方を既定上りリンクに指定する規定上りリンク情報を含む制御情報を移動局装置に送信することを特徴とする。
【発明の効果】
【００１５】
本発明によれば、一つのサービングセル上に複数の構成済み上りリンクグラントが構成された場合でも、正常に通信が行うことができるすることができる。
【図面の簡単な説明】
【００１６】
【図１】本発明における、移動局装置内のＭＡＣエンティティ構成の一例を示す図である。
【図２】本発明における、基地局装置内のＭＡＣエンティティ構成の一例を示す図である。
【図３】本発明における第１の実施形態を適用した場合の、基地局装置から移動局装置へのメッセージの流れと、各メッセージを受信したときのＵＬキャリアおよびＳＵＬキャリアのＧＦの構成済み上りリンクグラントの状態の一例を示す図である。
【図４】本発明における第２の実施形態を適用した場合の、基地局装置から移動局装置へのメッセージの流れと、各メッセージを受信したときのＵＬキャリアおよびＳＵＬキャリアのＧＦの構成済み上りリンクグラントの状態の一例を示す図である。
【図５】本発明における第３の実施形態を適用した場合の、基地局装置から移動局装置へのメッセージの流れと、各メッセージを受信したときのＵＬキャリアおよびＳＵＬキャリアのＧＦの構成済み上りリンクグラントの状態、およびサービングセルの状態の一例を示す図である。
【図６】本発明における第４の実施形態を適用した場合の、基地局装置から移動局装置へのメッセージの流れと、各メッセージを受信したときのＵＬキャリアおよびＳＵＬキャリアのＧＦの構成済み上りリンクグラントの状態、およびサービングセルの状態の一例を示す図である。
【図７】本発明における第５の実施形態を適用した場合の、基地局装置から移動局装置へのメッセージの流れと、各メッセージを受信したときのＵＬキャリアおよびＳＵＬキャリアのＧＦの構成済み上りリンクグラントの状態、およびサービングセルの状態の一例を示す図である。
【図８】本発明における第６の実施形態を適用した場合の、基地局装置から移動局装置へのメッセージの流れと、各メッセージを受信したときのＵＬキャリアの各ＢＷＰおよびＳＵＬキャリアの各ＢＷＰのＧＦの構成済み上りリンクグラントの状態の一例を示す図である。
【発明を実施するための形態】
【００１７】
（第１の実施形態）
以下、図面を参照して、本発明の第１の実施形態について説明する。図１は本実施形態における移動局装置内のＭＡＣエンティティの構成の一例である。図１において、１０１は制御部であり、すべての構成部を制御する。１０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。１０３は上りリンクＰＤＵ（Ｐｒｏｔｏｃｏｌ  Ｄａｔａ  Ｕｎｉｔ）構成部であり、論理チャネルを通じて受信した上位レイヤからの上りリンク送信データにヘッダ付加や、複数の論理チャネルのデータの結合などを行い、上りＰＤＵを構成する。１０４は送信処理部であり、上りＰＤＵ構成部１０３が作成した上りＰＤＵに誤り訂正符号化処理や変調処理などを行い、上りリソース管理部１０６から指示された上りリンクＳＰＳリソースにマッピングを行う。１０５は上りリンクＳＰＳ・ＧＦ状態管理部であり、上りリンクＳＰＳ・ＧＦの状態を管理し、上りリンクＳＰＳ・ＧＦに関連するイベントが発生した場合に、上りリンクＳＰＳ・ＧＦの状態を変化させる。上りリンクリソース管理部１０６は、基地局装置から割り当てられた上りリンクリソースの管理を行い、上りリンクＰＤＵと送信リソースのマッピングの制御を行う。また、上りリンクＳＰＳ・ＧＦ状態管理部１０５で管理されている上りリンクＳＰＳ・ＧＦ状態に従って、上りリンクＳＰＳ・ＧＦリソースの設定や、ｃｏｎｆｉｇｕｒｅｄ  ｕｐｌｉｎｋ  ｇｒａｎｔの有効化・無効化を行う。受信処理部１０７は、無線インタフェース部１１０からの受信信号に対して復調や誤り訂正符号の復号を行い、下りリンクＰＤＵの再構成を行う。下りリンクＰＤＵ分離部１０８は、受信処理部１０７から受信した下りリンクＰＤＵから一つもしくは複数のデータに分離し、ユーザデータや制御データは上位レイヤインタフェース部１０２を介して上位レイヤに送り、ＣＥ（Ｃｏｎｔｒｏｌ  Ｅｌｅｍｅｎｔ）データは制御部１０１に送る。１１０は下りリンクリソース管理部であり、無線インタフェース部１０９は、基地局装置と無線信号の送受信を行う。
【００１８】
図２は本実施形態における基地局装置内のＭＡＣエンティティ構成の一例である。図２において、２０１は制御部であり、すべての構成部を制御する。２０２は上位レイヤインタフェース部であり、ＰＤＣＰおよびＲＬＣ、およびＲＲＣなどの上位レイヤとの論理チャネルの設定および管理を行い、その論理チャネルを通じて上りリンクデータおよび下りリンクデータの送受信を行う。２０３は下りリンクＰＤＵ構成部であり、論理チャネルを通じて受信した上位レイヤからの下りリンク送信データに対して、ヘッダ付加や複数の論理チャネルのデータの結合などを行い、下りリンクＰＤＵを構成する。２０４は送信処理部であり、下りリンクＰＤＵ構成部２０３が作成した下りリンクＰＤＵに対して、下りリンクリソース管理部２０５に従って誤り訂正符号化処理や変調処理、および下りリンクリソースにマッピングを行って、無線インタフェース部２０９を介して移動局装置に送信する。２０５は下りリソース管理部であり、移動局装置に割り当てる下りリンクリソースの管理やスケジューリングを行う。上りリンクリソース管理部２０６は、移動局装置に割り当てる上りリンクリソースの設定および管理を行う。受信処理部２０７は、無線インタフェース部２１０からの受信信号に対して復調や誤り訂正符号の復号を行い、上りリンクＰＤＵの再構成を行う。上りリンクＰＤＵ分離部２０８は、受信処理部２０７が再構成した上りリンクＰＤＵから一つもしくは複数のデータに分離し、ユーザデータや制御データは上位レイヤインタフェース部２０２を介して上位レイヤに送る。無線インタフェース部２０９は、移動局装置と無線信号の送受信を行う。
【００１９】
ダイナミックスケジューリングのグラントをダイナミックグラントと呼称するのに対して、セミパーシステントスケジューリングのグラントは、予め決められた設定に従って通信リソースの割り当てを行うという意味合いから、構成済みグラントと呼称される。３ＧＰＰの第５世代移動体通信方式の仕様規格化においては、ＳＰＳとＧＦを合わせて「Ｔｒａｎｓｍｉｓｓｉｏｎ／Ｒｅｃｅｐｔｉｏｎ  ｗｉｔｈｏｕｔ  ｄｙｎａｍｉｃ  ｇｒａｎｔ」と呼称し、下りリンクのＳＰＳを「ＤＬ−ＳＰＳ」、ＧＦおよび上りリンクのＳＰＳをそれぞれ「ｃｏｎｆｉｇｕｒｅｄ  ｇｒａｎｔ  Ｔｙｐｅ  １」、「ｃｏｎｆｉｇｕｒｅｄ  ｇｒａｎｔ  Ｔｙｐｅ  ２」と呼称する方向で仕様規格化が進められている。なお、以下の説明においては、便宜的に「ｃｏｎｆｉｇｕｒｅｄ  ｇｒａｎｔ  Ｔｙｐｅ  １」をＧＦと記載する。
【００２０】
ＬＴＥおよびＬＴＥ−Ａでは、ＳＰＳの設定はスペシャルセル（ＳｐＣｅｌｌ）と呼ばれるプライマリセル（ＰＣｅｌｌ）およびプライマリセカンダリセル（ＰＳＣｅｌｌ）上にのみ設定が許可されていたが、３ＧＰＰの第５世代通信方式仕様においては、セカンダリセル（ＳＣｅｌｌ）上にも下りリンクおよび上りリンクのＳＰＳ、およびＧＦの設定ができるようになった。セカンダリセルはネットワークによりアクティブ状態・非アクティブ状態を制御され、非アクティブ状態では送受信ともに行われない。セカンダリセルをアクティブ状態にするアクティベーション、および非アクティブ状態にするデアクティベーションは、基地局装置から移動局装置に送信されるＳＣｅｌｌ  Ａｃｔｉｖａｔｉｏｎ／Ｄｅａｃｔｉｖａｔｉｏｎ  ＭＡＣ  Ｃｏｎｔｒｏｌ  Ｅｌｅｍｅｎｔ（ＣＥ）によって指示される。セカンダリセルの上りリンクキャリア上に構成されたＧＦの構成済み上りリンクグラントは、セカンダリセルが非アクティブ状態のときはサスペンド（保留）され、構成済み上りリンクグラントの設定は保持されるものの、上りリンクデータ送信が禁止される。セカンダリセルがアクティブ状態のときはＧＦの構成済み上りリンクグラントもアクティブとなり、上りリンクデータの送信が行われる。
【００２１】
サービングセル上のＵＬキャリアおよびＳＵＬキャリアにＧＦの構成を行う場合は、基地局装置から移動局装置に送信されるＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｃｏｎｆｉｇｕｒａｔｉｏｎメッセージ（以下、ＲＲＣ再設定メッセージ）またはＲＲＣ  Ｒｅｃｏｎｆｉｇｕｒａｔｉｏｎメッセージ（以下、ＲＲＣ再設定メッセージ）に含まれるＧＦ設定パラメータを使用して行われる。このＧＦ設定パラメータには、ＧＦを構成するために必要なすべての設定（無線リソース割り当て、周期、開始タイミング、ＭＣＳ、繰り返し回数など）が含まれる。このＧＦ設定パラメータは、ＵＬキャリアおよびＳＵＬキャリアで全部あるいは一部共通であってもよいし、それぞれ個別の設定がなされていてもよい。移動局装置は、ＧＦ設定パラメータの内容にしたがって、ＵＬキャリアとＳＵＬキャリアそれぞれにＧＦの構成済み上りリンクグラントを構成する。ＧＦの構成済み上りリンクグラントは、アクティブ状態のときには上りリンクデータを送信でき、サスペンド状態のときには、構成済み上りリンクグラントを保持したまま、上りリンクデータ送信は行われない。
【００２２】
ＵＬキャリアとＳＵＬキャリアの両方にＧＦの構成済み上りリンクグラントの構成を行った場合、前述のとおり同じタイミング（スロット）での同時送信はできないため、その対策を行う必要がある。そこで、例えばＵＬキャリアとＳＵＬキャリアのうちＵＬキャリアを既定とすることを予め決めておき、ＲＲＣ再設定メッセージにてＵＬキャリアとＳＵＬキャリアに同時にＧＦの構成済み上りリンクグラントを構成した場合は、ＵＬキャリアのＧＦの構成済み上りリンクグラントをアクティブにし、ＳＵＬキャリアのＧＦの構成済み上りリンクグラントをサスペンドにする、という方法がある。そして、ＵＬキャリアのＧＦの構成済み上りリンクグラントをサスペンドし、ＳＵＬキャリアのＧＦの構成済み上りリンクグラントをアクティブにする場合に、例えばＵＬ  ｓｗｉｔｃｈｉｎｇ  ｓｉｇｎａｌｌｉｎｇを基地局装置から移動局装置に送信することによって、その切り替えを行うことが考えられる。このＵＬ  ｓｗｉｔｃｈｉｎｇ  ｓｉｇｎａｌｌｉｎｇは、例えば下りリンクのレイヤ１シグナリングを使用してもいいし、ＭＡＣ  ＣＥを使用してもよい。また、上位レイヤ（ＲＲＣ）のメッセージによって切り替えてもよい。また、このＵＬ  ｓｗｉｔｃｈｉｎｇ  ｓｉｇｎａｌｌｉｎｇには、ＵＬキャリアもしくはＳＵＬキャリアのどちらをアクティブにするか、あるいはどちらをサスペンドするかの情報を含めてもよく、あるいはＵＬ  ｓｗｉｔｃｈｉｎｇ  ｓｉｇｎａｌｌｉｎｇを受信したときに、アクティブの構成済み上りリンクグラントをサスペンドし、またサスペンドしている構成済み上りリンクグラントをアクティブにするという、トグル切り替えを行ってもよい。
【００２３】
また、別の例として、（ノーマル）ＵＬキャリアとＳＵＬキャリアのどちらを最初のアクティブＵＬキャリアとして、使用するかをＲＲＣ再設定メッセージにて基地局装置から移動局装置に通知されるようにしてもよい。ＳＵＬキャリアが設定されたサービングセル（ＳＣｅｌlなど）がアクティベートされた際にＵＬキャリアとＳＵＬキャリアのどちらをアクティブＵＬキャリアとするかが、ＲＲＣ再設定メッセージにて基地局装置から移動局装置に通知される。ＲＲＣ再設定メッセージにてＳｐＣｅｌｌの追加をする際には、ランダムアクセス手順に使用するキャリアに関する情報が通知される。ＳｐＣｅｌｌの追加の際に、該セルにＳＵＬが設定されている場合で、ランダムアクセス手順に使うキャリアが信号されている場合は、移動局装置は、ランダムアクセス手順に使うキャリアに信号されたキャリアを選択する。または、ＳｐＣｅｌｌの追加の際に、該セルにＳＵＬが設定されていて、ランダムアクセス手順に使うキャリアが信号されていなくて、ダウンリンクパスロス参照の参照信号受信電力がある閾値を下回っている場合に、移動局装置は、ランダムアクセス手順に使うキャリアにＳＵＬキャリアを選択する。そうでなければ、（該セルにＳＵＬが設定されていない、または、ランダムアクセス手順に使うキャリアが信号されていなくて、ダウンリンクパスロス参照の参照信号受信電力がある閾値を下回っていない場合）、移動局装置は、ランダムアクセス手順に使うキャリアに（ノーマル）ＵＬキャリアを選択する。その際、移動局装置は、ランダムアクセス手順用に選択されたキャリアをアクティブＵＬキャリアとするようにしてもよい。その後、キャリアスイッチングを指示されれば、移動局装置は、アクティブなキャリアをデアクティベートし、インアクティブなキャリアをアクティベートする。
【００２４】
アクティブＵＬキャリアにおいて、移動局装置は、一つまたは複数のＵＬ  ＢＷＰ（ｓ）の内の一つをアクティブにし（アクティベートし）、インアクティブＵＬキャリアにおいて、移動局装置は、どのＵＬ  ＢＷＰ（ｓ）もインアクティブにする（デアクティベートする）。アクティブＵＬキャリアにおいて、移動局装置は、ＧＦの構成済み上りリンクグラントをアクティブにし、インアクティブＵＬキャリアにおいて、移動局装置は、ＧＦの構成済み上りリンクグラントをサスペンドにする。アクティブＢＷＰにおいて、移動局装置は、ＧＦの構成済み上りリンクグラントをアクティブにし、インアクティブＢＷＰにおいて、移動局装置は、ＧＦの構成済み上りリンクグラントをサスペンドにする。
【００２５】
図３を用いて、本実施形態を適用した場合の、移動局装置のＭＡＣエンティティによるサービングセル上のＵＬキャリアおよびＳＵＬキャリアそれぞれに構成された上りリンクＧＦの状態管理方法を説明する。図３では、基地局装置から移動局装置へのメッセージの流れと、各メッセージを受信したときのＵＬキャリアおよびＳＵＬキャリアのＧＦの構成済み上りリンクグラントの状態を図示している。まず、初期状態では、ＵＬキャリアおよびＳＵＬキャリアともにＧＦが未構成の状態である（３５０）。次に、ＵＬキャリアおよびＳＵＬキャリア上にそれぞれＧＦ構成の追加（ＧＦ  ａｄｄｉｔｉｏｎ）を指示するＲＲＣ再設定メッセージ３０１が移動局装置に送信される。メッセージ３０１を受信した移動局装置は、ＲＲＣ再設定メッセージ３０１の内容に従って、ＵＬキャリアおよびＳＵＬキャリアそれぞれにＧＦの構成済み上りリンクグラントを設定し、既定であるＵＬキャリア上のＧＦの構成済み上りリンクグラントをアクティブに、ＳＵＬキャリア上のＧＦの構成済み上りリンクグラントをサスペンドする（３５１）。次にＳＵＬキャリア上のＧＦの構成済み上りリンクグラントのアクティベーション（ＳＵＬ  ａｃｔｉｖａｔｉｏｎ）を指示するＵＬ  ｓｗｉｔｃｈｉｎｇ  ｓｉｇｎａｌｌｉｎｇ３０２が基地局装置から移動局装置に送信される。ＵＬ  ｓｗｉｔｃｈｉｎｇ  ｓｉｇｎａｌｌｉｎｇ３０２を受信した移動局装置は、ＵＬキャリアのＧＦの構成済み上りリンクグラントをサスペンドし、ＳＵＬキャリアのＧＦの構成済み上りリンクグラントをアクティブにする（３５２）。その後、ＵＬキャリア上のＧＦの構成済み上りリンクグラントのアクティベーションを指示するＵＬ  ｓｗｉｔｃｈｉｎｇ  ｓｉｇｎａｌｌｉｎｇ３０３が基地局装置から移動局装置に送信される。ＵＬ  ｓｗｉｔｃｈｉｎｇ  ｓｉｇｎａｌｌｉｎｇ３０３を受信した移動局装置は、ＵＬキャリアのＧＦの構成済み上りリンクグラントをアクティブにし、ＳＵＬキャリアのＧＦの構成済み上りリンクグラントをサスペンドする（３５３）。
【００２６】
以上説明したとおり、本実施形態では、ＵＬキャリアのＧＦの構成済み上りリンクグラントを既定とすることについて説明したが、ＳＵＬキャリアのＧＦの構成済み上りリンクグラントを既定とする場合についても同様である。
【００２７】
（第２の実施形態）
第１の実施形態では、ＵＬキャリアもしくはＳＵＬキャリアのＧＦの構成済み上りリンクグラントのどちらを既定とするかを予め決めておく方法について説明したが、ＧＦの構成済み上りリンクグラント設定にどちらを既定とするかを含めて基地局装置から移動局装置に送信し、移動局装置はその設定にしたがって、どちらのＧＦの構成済み上りリンクグラントの既定とするかを決める方法も考えられる。これを第２の実施形態として説明する。
【００２８】
図４を用いて、移動局装置のＭＡＣエンティティによるサービングセル上のＵＬキャリアおよびＳＵＬキャリアそれぞれに構成された上りリンクＧＦの状態管理方法を説明する。図４では、基地局装置から移動局装置へのメッセージの流れと、各メッセージを受信したときの上りリンクキャリアおよび補助上りリンクキャリアのＧＦの構成済み上りリンクグラントの状態を図示している。まず、初期状態では、ＵＬキャリアおよびＳＵＬキャリアともにＧＦが未構成の状態である（４５０）。次に、ＵＬキャリアおよびＳＵＬキャリア上にそれぞれＧＦ構成の追加（ＧＦ  ａｄｄｉｔｉｏｎ）と、ＳＵＬキャリアのＧＦの構成済み上りリンクグラントを既定（ｄｅｆａｕｌｔ）とすることを指示するＲＲＣ再設定メッセージ４０１が移動局装置に送信される。メッセージ４０１を受信した移動局装置は、ＲＲＣ再設定メッセージ４０１の内容に従って、ＵＬキャリアおよびＳＵＬキャリアそれぞれにＧＦの構成済み上りリンクグラントを設定し、ＳＵＬキャリア上のＧＦの構成済み上りリンクグラントをアクティブに、ＵＬキャリア上のＧＦの構成済み上りリンクグラントをサスペンドする（４５１）。次にＵＬキャリア上のＧＦの構成済み上りリンクグラントのアクティベーションを指示するＵＬ  ｓｗｉｔｃｈｉｎｇ  ｓｉｇｎａｌｌｉｎｇ４０２が基地局装置から移動局装置に送信される。ＵＬ  ｓｗｉｔｃｈｉｎｇ  ｓｉｇｎａｌｌｉｎｇ４０２を受信した移動局装置は、ＳＵＬキャリアのＧＦの構成済み上りリンクグラントをサスペンドし、ＵＬキャリアのＧＦの構成済み上りリンクグラントをアクティブにする（４５２）。その後、ＳＵＬキャリア上のＧＦの構成済み上りリンクグラントのアクティベーションを指示するＵＬ  ｓｗｉｔｃｈｉｎｇ  ｓｉｇｎａｌｌｉｎｇ３０３が基地局装置から移動局装置に送信される。ＵＬ  ｓｗｉｔｃｈｉｎｇ  ｓｉｇｎａｌｌｉｎｇ４０３を受信した移動局装置は、ＳＵＬキャリアのＧＦの構成済み上りリンクグラントをアクティブにし、ＵＬキャリアのＧＦの構成済み上りリンクグラントをサスペンドする（４５３）。
【００２９】
以上説明したとおり、本実施形態では、ＳＵＬキャリアのＧＦの構成済み上りリンクグラントを既定とする設定をＲＲＣ再設定メッセージに含めることについて説明したが、ＵＬキャリアのＧＦの構成済み上りリンクグラントを既定とする設定をＲＲＣ再設定メッセージに含める場合についても同様である。
【００３０】
（第３の実施形態）
セカンダリセルのようなネットワークによってアクティベーションやデアクティベーションを制御されるサービングセル上のＵＬキャリアおよびＳＵＬキャリア上のＧＦ構成に本発明を適用した場合について、第３の実施形態として説明する。
【００３１】
図５を用いて、本実施形態を適用した場合の、移動局装置のＭＡＣエンティティによるサービングセル（ＳＣｅｌｌ）上のＵＬキャリアおよびＳＵＬキャリアそれぞれに構成された上りリンクＧＦの状態管理方法を説明する。図５では、基地局装置から移動局装置へのメッセージの流れと、各メッセージを受信したときのＵＬキャリアおよびＳＵＬキャリアのＧＦの構成済み上りリンクグラントの状態、およびサービングセルの状態を図示している。まず、サービングセルがまだ追加されていない状態では、ＵＬキャリアおよびＳＵＬキャリアともにＧＦは未構成の状態である（５５０）。次に、基地局装置からＵＬキャリアとＳＵＬキャリアを含むサービングセル（ＳＣｅｌｌ）の追加（ＳＣｅｌｌ  Ａｄｄｉｔｉｏｎ）を指示するＲＲＣ再設定メッセージ５０１が移動局装置に送信される。ＲＲＣ再設定メッセージ５０１を受信した移動局装置は、ＲＲＣ再設定メッセージ５０１の内容に従って、ＵＬキャリアおよびＳＵＬキャリア上に上りリンク物理チャネルの確立を行うが、ＧＦはまだ未構成である（５５１）。次に、ＵＬキャリアおよびＳＵＬキャリア上にそれぞれＧＦ構成の追加（ＧＦ  ａｄｄｉｔｉｏｎ）を指示するＲＲＣ再設定メッセージ５０２が移動局装置に送信される。ＲＲＣ再設定メッセージ５０２を受信した移動局装置は、ＲＲＣ再設定メッセージ５０２の内容に従って、ＵＬキャリアおよびＳＵＬキャリアそれぞれにＧＦの構成済み上りリンクグラントを設定する。しかし、このときまだサービングセルがアクティブになっていないため、ＵＬキャリアおよびＳＵＬキャリア上のＧＦの構成済み上りリンクグラントはサスペンド状態となっている（５５２）。次に、サービングセル（ＳＣｅｌｌ）のアクティベーション（ａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ５０３が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ５０３を受信した移動局装置は、サービングセルをアクティブにし、既定であるＵＬキャリアのＧＦの構成済み上りリンクグラントをアクティブにする（５５３）。その後、ＳＵＬキャリア上のＧＦの構成済み上りリンクグラントのアクティベーション（ＳＵＬ  ａｃｔｉｖａｔｉｏｎ）を指示するＵＬ  ｓｗｉｔｃｈｉｎｇ  ｓｉｇｎａｌｌｉｎｇ５０４が基地局装置から移動局装置に送信される。ＵＬ  ｓｗｉｔｃｈｉｎｇ  ｓｉｇｎａｌｌｉｎｇ５０４を受信した移動局装置は、ＵＬキャリアのＧＦの構成済み上りリンクグラントをサスペンドし、ＳＵＬキャリアのＧＦの構成済み上りリンクグラントをアクティブにする（５５４）。その後、サービングセル（ＳＣｅｌｌ）のデアクティベーション（ｄｅａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ５０５が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ５０５を受信した移動局装置は、ＳＵＬキャリアのＧＦの構成済み上りリンクグラントをサスペンドする（５５５）。その後、サービングセル（ＳＣｅｌｌ）のアクティベーション（ａｃｔｉｖ���ｔｉｏｎ）を指示するＳＣｅｌｌ  Ａｃｔｉｖａｔｉｏｎ／Ｄｅａｃｔｉｖａｔｉｏｎ  ＭＡＣ  ＣＥ５０６が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ５０６を受信した移動局装置は、サービングセルをアクティブにし、既定であるＵＬキャリアのＧＦの構成済み上りリンクグラントをアクティブにする（５５６）。
【００３２】
以上説明したとおり、本実施形態では、ＵＬキャリアのＧＦの構成済み上りリンクグラントを既定とすることについて説明したが、ＳＵＬキャリアのＧＦの構成済み上りリンクグラントを既定とする場合についても同様である。
【００３３】
（第４の実施形態）
第３の実施形態では、ＵＬキャリアもしくはＳＵＬキャリアのＧＦの構成済み上りリンクグラントのどちらを既定とするかを予め決めておく方法について説明したが、ＧＦの構成済み上りリンクグラント設定にどちらを既定とするかを含めて基地局装置から移動局装置に送信し、移動局装置はその設定にしたがって、どちらのＧＦの構成済み上りリンクグラントの既定とするかを決める方法も考えられる。これを第４の実施形態として説明する。
【００３４】
図６を用いて、本実施形態を適用した場合の、移動局装置のＭＡＣエンティティによるサービングセル（ＳＣｅｌｌ）上のＵＬキャリアおよびＳＵＬキャリアそれぞれに構成された上りリンクＧＦの状態管理方法を説明する。図６では、基地局装置から移動局装置へのメッセージの流れと、各メッセージを受信したときのＵＬキャリアおよびＳＵＬキャリアのＧＦの構成済み上りリンクグラントの状態、およびサービングセルの状態を図示している。まず、サービングセルがまだ追加されていない状態では、ＵＬキャリアおよびＳＵＬキャリアともにＧＦは未構成の状態である（６５０）。次に、基地局装置からＵＬキャリアとＳＵＬキャリアを含むサービングセル（ＳＣｅｌｌ）の追加（ＳＣｅｌｌ  Ａｄｄｉｔｉｏｎ）を指示するＲＲＣ再設定メッセージ６０１が移動局装置に送信される。ＲＲＣ再設定メッセージ６０１を受信した移動局装置は、ＲＲＣ再設定メッセージ６０１の内容に従って、ＵＬキャリアおよびＳＵＬキャリア上に上りリンク物理チャネルの確立を行うが、ＧＦはまだ未構成である（６５１）。次に、ＵＬキャリアおよびＳＵＬキャリア上にそれぞれＧＦ構成の追加（ＧＦ  ａｄｄｉｔｉｏｎ）と、ＳＵＬキャリアのＧＦの構成済み上りリンクグラントを既定（ｄｅｆａｕｌｔ）とすることを指示するＲＲＣ再設定メッセージ６０２が移動局装置に送信される。ＲＲＣ再設定メッセージ６０２を受信した移動局装置は、ＲＲＣ再設定メッセージ６０２の内容に従って、ＵＬキャリアおよびＳＵＬキャリアそれぞれにＧＦの構成済み上りリンクグラントを設定する。しかし、このときまだサービングセルがアクティブになっていないため、ＵＬキャリアおよびＳＵＬキャリア上のＧＦの構成済み上りリンクグラントはサスペンド状態となっている（６５２）。次に、サービングセル（ＳＣｅｌｌ）のアクティベーション（ａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ６０３が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ６０３を受信した移動局装置は、サービングセルをアクティブにし、既定であるＳＵＬキャリアのＧＦの構成済み上りリンクグラントをアクティブにする（６５３）。その後、ＵＬキャリア上のＧＦの構成済み上りリンクグラントのアクティベーション（ＵＬ  ａｃｔｉｖａｔｉｏｎ）を指示するＵＬ  ｓｗｉｔｃｈｉｎｇ  ｓｉｇｎａｌｌｉｎｇ６０４が基地局装置から移動局装置に送信される。ＵＬ  ｓｗｉｔｃｈｉｎｇ  ｓｉｇｎａｌｌｉｎｇ６０４を受信した移動局装置は、ＳＵＬキャリアのＧＦの構成済み上りリンクグラントをサスペンドし、ＵＬキャリアのＧＦの構成済み上りリンクグラントをアクティブにする（６５４）。その後、サービングセル（ＳＣｅｌｌ）のデアクティベーション（ｄｅａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ６０５が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ６０５を受信した移動局装置は、ＵＬキャリアのＧＦの構成済み上りリンクグラントをサスペンドす���（６５５）。その後、サービングセル（ＳＣｅｌｌ）のアクティベーション（ａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ６０６が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ６０６を受信した移動局装置は、サービングセルをアクティブにし、既定であるＳＵＬキャリアのＧＦの構成済み上りリンクグラントをアクティブにする（６５６）。
【００３５】
以上説明したとおり、本実施形態では、ＳＵＬキャリアのＧＦの構成済み上りリンクグラントを既定とする設定をＲＲＣ再設定メッセージに含めることについて説明したが、ＵＬキャリアのＧＦの構成済み上りリンクグラントを既定とする設定をＲＲＣ再設定メッセージに含める場合についても同様である。
【００３６】
（第５の実施形態）
第３および第４の実施形態では、サービングセルがアクティブになったときに、ＵＬキャリアもしくはＳＵＬキャリアのＧＦの構成済み上りリンクグラントのうち、既定とする方のＧＦの構成済み上りリンクグラントをアクティブにする方法について説明したが、サービングセルが非アクティブからアクティブになった場合は、サービングセルがデアクティベート時にアクティブからサスペンドになったＧＦの構成済み上りリンクグラントを、サービングセルが再びアクティベートされたときに、そのＧＦの構成済み上りリンクグラントをアクティブにするという方法も考えられる。これを第５の実施形態として説明する。
【００３７】
図７を用いて、本実施形態を適用した場合の、移動局装置のＭＡＣエンティティによるサービングセル（ＳＣｅｌｌ）上のＵＬキャリアおよびＳＵＬキャリアそれぞれに構成された上りリンクＧＦの状態管理方法を説明する。図７の７０１から７０４、および７５０から７５４までは、第４の実施形態の図６の６０１から６０４、および６５０から６５４までと同じであるので、説明を省略する。７５４では、ＵＬキャリアのＧＦの構成済み上りリンクグラントがアクティブで、ＳＵＬキャリアのＧＦの構成済み上りリンクグラントがサスペンドとなっている。次に、サービングセル（ＳＣｅｌｌ）のデアクティベーション（ｄｅａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ７０５が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ７０５を受信した移動局装置は、ＵＬキャリアのＧＦの構成済み上りリンクグラントをサスペンドする（７５５）。その後、サービングセル（ＳＣｅｌｌ）のアクティベーション（ａｃｔｉｖａｔｉｏｎ）を指示するＳＣｅｌｌ  Ａｃｔｉｖａｔｉｏｎ／Ｄｅａｃｔｉｖａｔｉｏｎ  ＭＡＣ  ＣＥ７０６が基地局装置から移動局装置に送信される。ＳＣｅｌｌ  Ａｃｔｉｖａｔｉｏｎ／Ｄｅａｃｔｉｖａｔｉｏｎ  ＭＡＣ  ＣＥ７０６を受信した移動局装置は、サービングセルをアクティブにし、７５４から７５５にてアクティブからサスペンドになったＵＬキャリアのＧＦの構成済み上りリンクグラントをアクティブにする（７５６）。
【００３８】
以上説明したとおり、本実施形態では、ＳＵＬキャリアのＧＦの構成済み上りリンクグラントを既定とする設定をＲＲＣ再設定メッセージに含めることについて説明したが、ＵＬキャリアのＧＦの構成済み上りリンクグラントを既定とする設定をＲＲＣ再設定メッセージに含める場合についても同様である。
【００３９】
（第６の実施形態）
３ＧＰＰの第５世代通信方式仕様規格化において、一つの上りリンクキャリアを複数の周波数帯域に分割し、分割後の周波数帯域を切り替えて使用する技術の導入が検討されており、分割後の個々の周波数帯域をＢＷＰ（Ｂａｎｄｗｉｄｔｈ  Ｐａｒｔ）と呼称する。ＵＬキャリアおよびＳＵＬキャリアにＢＷＰが適用された場合の本発明の実施形態を第６の実施形態として説明する。
【００４０】
図８を用いて、本実施形態を適用した場合の、移動局装置のＭＡＣエンティティによるサービングセル上のＵＬキャリアのＢＷＰおよびＳＵＬキャリアのＢＷＰそれぞれに構成された上りリンクＧＦの状態管理方法を説明する。図８では、ＵＬキャリアおよびＳＵＬキャリアにそれぞれ２つのＢＷＰが設定されたときの基地局装置から移動局装置へのメッセージの流れと、各メッセージを受信したときのＵＬキャリアの各ＢＷＰおよびＳＵＬキャリアの各ＢＷＰのＧＦの構成済み上りリンクグラントの状態を図示している。まず、ＵＬキャリアおよびＳＵＬキャリアにＢＷＰが設定されていない状態では、ＵＬキャリアおよびＳＵＬキャリアともにＧＦは未構成の状態である（８５０）。次に、基地局装置からＵＬキャリアとＳＵＬキャリアそれぞれにＢＷＰを２つずつ設定し、さらにＳＵＬのＢＷＰ１を既定のＢＷＰとする設定を含むＢＷＰ構成の追加（ＢＷＰ  Ａｄｄｉｔｉｏｎ）を指示するＲＲＣ再設定メッセージ８０１が移動局装置に送信される。なお、既定ＢＷＰ設定は、ＵＬキャリアおよびＳＵＬキャリアで個別に設定してもよく、あるいはＵＬキャリアおよびＳＵＬキャリア共通で設定してもよい。また、ここではＵＬキャリアとＳＵＬキャリアそれぞれにＢＷＰを２つにする設定の例を示すが、ＢＷＰの数を２つに限定するものではなく、３つ以上に設定してもよく、また、ＵＬキャリアとＳＵＬキャリアでＢＷＰの数を個別に設定してもよいし、共通の個数で設定してもよい。ＲＲＣ再設定メッセージ８０１を受信した移動局装置は、ＲＲＣ再設定メッセージ８０１の内容に従って、ＵＬキャリアおよびＳＵＬキャリア上にＢＷＰをそれぞれ２つずつ構成するが、ＧＦはまだ未構成である（８５１）。次に、ＵＬキャリアおよびＳＵＬキャリアのＢＷＰにそれぞれＧＦ構成の追加（ＧＦ  ａｄｄｉｔｉｏｎ）を指示するＲＲＣ再設定メッセージ８０２が基地局装置から移動局装置に送信される。ＲＲＣ再設定メッセージ８０２を受信した移動局装置は、ＲＲＣ再設定メッセージ８０２の内容に従って、ＵＬキャリアおよびＳＵＬキャリアのＢＷＰそれぞれにＧＦの構成済み上りリンクグラントを設定し、既定ＢＷＰ設定であるＳＵＬキャリアのＢＷＰ１のＧＦの構成済み上りリンクグラントをアクティブに、それ以外のＢＷＰのＧＦの構成済み上りリンクグラントをサスペンドにする（８５２）。次に、ＳＵＬキャリアのＢＷＰ２のアクティベーション（ＳＵＬ−ＢＷＰ２  ａｃｔｉｖａｔｉｏｎ）を指示するＢＷＰ  ｓｗｉｔｃｈｉｎｇ  ｓｉｇｎａｌｌｉｎｇ８０３が基地局装置から移動局装置に送信される。このＢＷＰ  ｓｗｉｔｃｈｉｎｇ  ｓｉｇｎａｌｌｉｎｇは、下りリンクのレイヤ１シグナリングを使用してもよいし、ＭＡＣ  ＣＥあるいはＲＲＣメッセージを使用してもよい。ＢＷＰ  ｓｗｉｔｃｈｉｎｇ  ｓｉｇｎａｌｌｉｎｇ８０３を受信した移動局装置は、ＳＵＬキャリアのＢＷＰ１のＧＦの構成済み上りリンクグラントをサスペンドし、ＳＵＬキャリアのＢＷＰ２のＧＦの構成済み上りリンクグラントをアクティブにする（８５３）。次に、ＵＬキャリアのＢＷＰ１のアクティベーション（ＵＬ−ＢＷＰ１  ａｃｔｉｖａｔｉｏｎ）を指示するＢＷＰ  ｓｗｉｔｃｈｉｎｇ  ｓｉｇｎａｌｌｉｎｇ���０４が基地局装置から移動局装置に送信される。ＢＷＰ  ｓｗｉｔｃｈｉｎｇ  ｓｉｇｎａｌｌｉｎｇ８０４を受信した移動局装置は、ＳＵＬキャリアのＢＷＰ２のＧＦの構成済み上りリンクグラントをサスペンドし、ＵＬキャリアのＢＷＰ１のＧＦの構成済み上りリンクグラントをアクティブにする（８５４）。
【００４１】
以上説明したとおり、本実施形態では、ＳＵＬキャリアのＢＷＰ１を既定ＢＷＰとする設定をＲＲＣ再設定メッセージに含めることについて説明したが、ＵＬキャリアのＢＷＰ１またはＢＷＰ２、もしくはＳＵＬキャリアのＢＷＰ２を既定ＢＷＰとする設定をＲＲＣ再設定メッセージに含める場合についても同様である。
【００４２】
以上、本発明の複数の実施形態を説明したが、本発明はＳＵＬに限らず、一つのサービングセル上に複数の構成済み上りリンクグラントが構成された場合にも適用可能である。また、ＧＦについて説明したが、ＳＰＳについても適用可能である。
【００４３】
なお、以上で説明した移動局装置および基地局装置の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４４】
また、「コンピュータシステム」は、ＷＷＷシステムを利用している場合であれば、ホームページ提供環境（あるいは表示環境）も含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
また、移動局装置および基地局装置の全部または一部の機能を集積回路に集約して実現してもよい。各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【００４７】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００４８】
本発明は、有線および無線での通信システムや通信装置に用いて好適である。
【符号の説明】
【００４９】
１０１…制御部
１０２…上位レイヤインタフェース部
１０３…上りリンクＰＤＵ構成部
１０４…送信処理部
１０５…上りリンクＳＰＳ・ＧＦ状態保持部
１０６…上りリンクリソース管理部
１０７…受信処理部
１０８…下りリンクＰＤＵ分離部
１０９…無線インタフェース部
１１０…下りリンクリソース管理部
２０１…制御部
２０２…上位レイヤインタフェース部
２０３…下りリンクＰＤＵ構成部
２０４…送信処理部
２０５…下りリンクリソース管理部
２０６…上りリンクリソース管理部
２０７…受信処理部
２０８…上りリンクＰＤＵ分離部
２０９…無線インタフェース部
【図１】
2019121976.tif 000003
【図２】
2019121976.tif 000004
【図３】
2019121976.tif 000005
【図４】
2019121976.tif 000006
【図５】
2019121976.tif 000007
【図６】
2019121976.tif 000008
【図７】
2019121976.tif 000009
【図８】
2019121976.tif 000010